(57)【要約】【課題】空気調和機において、省エネルギー化を図りつつ、システム全体を簡易にして設備コストの増加を抑える。【解決手段】セットバック運転により客室１００内の空気を調和する空気調和機であって、利用者（例えば、ハウスキーパ）が客室１００内に在室しているか否かを検知するカードキー装置４０と、少なくともセットバック時間ｔ１を含むパラメータに基づいて、セットバック値Ｚを決定するセットバック値制御部２４と、セットバック値Ｚに基づいてセットバック運転を行う室温制御部２５と、を有する構成とした。【選択図】図１
2019015454.tif 000002
【特許請求の範囲】
【請求項１】
セットバック運転により室内の空気を調和する空気調和機であって、
利用者が前記室内に在室しているか否かを検知する検知部と、
少なくともセットバック時間を含むパラメータに基づいて、セットバック値を決定する決定部と、
前記セットバック値に基づいてセットバック運転を行う制御部と、を有する空気調和機。
【請求項２】
前記パラメータは、前記室内への日射量、前記室内に設けられた窓の方角、前記利用者が前記室内から不在となる時間帯の少なくとも何れか一つを、さらに含み、
前記決定部は、前記セットバック時間と、前記室内への日射量、前記室内に設けられた窓の方角、前記利用者が前記室内から不在となる時間帯の少なくとも何れか一つとに基づいて、前記セットバック値を決定する請求項１に記載の空気調和機。
【請求項３】
前記利用者が、前記室内から不在となる時間帯を決定する時間帯決定部を有し、
前記時間帯決定部を、前記空気調和機の操作に利用される操作装置または前記空気調和機の室内機の何れか一つに設けた請求項２に記載の空気調和機。
【請求項４】
前記検知部が、前記操作装置または前記室内機の何れか一つに接続されている請求項３に記載の空気調和機。
【請求項５】
前記パラメータを入力する入力設定部を有し、
前記入力設定部を、前記操作装置または前記室内機の何れか一つに設けた請求項３に記載の空気調和機。
【請求項６】
外気温度を測定する外気温度測定部を有し、
前記決定部は、前記外気温度測定部で測定された外気温度と、前記室内の設定温度とに基づいて、前記セットバック値を補正する請求項１に記載の空気調和機。
【請求項７】
前記外気温度測定部を、前記空気調和機の室外機に設けた請求項６に記載の空気調和機。
【請求項８】
前記決定部と前記制御部とを、前記操作装置または前記室内機の何れか一つに設けた請求項３に記載の空気調和機。
【請求項９】
セットバック運転により室内の空気を調和する空気調和機の制御方法であって、
セットバック運転を行うか否かを判定するセットバック運転決定工程と、
少なくともセットバック時間を含むパラメータに基づいて、セットバック値を決定する決定工程と、
前記セットバック値に基づいてセットバック運転を行う制御工程と、を有する空気調和機の制御方法。
【請求項１０】
前記パラメータは、前記客室内への日射量、前記室内に設けられた窓の方角、前記利用者の前記室内から不在となる時間帯の少なくとも何れか一つを含み、
前記決定工程は、前記セットバック時間と、前記客室内への日射量、前記室内に設けられた窓の方角、前記利用者が前記室内から不在となる時間帯の少なくとも何れか一つとに基づいて、前記セットバック値を決定する請求項９に記載の空気調和機の制御方法。
【発明の詳細な説明】
【技術分野】
【０００１】
本発明は、空気調和機およびその制御方法に関する。
【背景技術】
【０００２】
従来、ホテルなどの客室内に設けられた空気調和機では、利用客の在室又は不在に応じて設定温度を変更することで省エネルギー化を図る運転方法（セットバック運転）が実施されている。
【０００３】
特許文献１及び特許文献２には、セットバック運転される空気調和機が開示されている。
【先行技術文献】
【特許文献】
【０００４】
【特許文献１】特開昭６１−２８２７４９号公報
【特許文献２】特開２０１６−１６９９３８号公報
【発明の概要】
【発明が解決しようとする課題】
【０００５】
しかしながら、特許文献１に開示されている空気調和機では、利用客の不在（空室）時間の長さに関わらず、客室内の設定温度が一定となるようにセットバック運転するものであり、利用客の不在時間の長さによっては、十分な省エネルギー化を図ることができないという問題がある。
【０００６】
また、特許文献２に開示されている空気調和機では、ＧＰＳ（Ｇｌｏｂａｌ  Ｐｏｓｉｔｉｏｎｉｎｇ  Ｓｙｓｔｅｍ）を用いて利用客の位置情報を取得し、この利用客の位置情報を利用して利用客の不在（空室）時間の長さを推測するものである。しかしながら、この空気調和機では、システム全体が複雑になると共に、設備コストが高くなってしまうという問題がある。
【０００７】
したがって本発明は、上記課題に鑑みてなされたもので、空気調和機において、省エネルギー化を図りつつ、システム全体を簡易にして設備コストの増加を抑えることを目的とする。
【課題を解決するための手段】
【０００８】
上記課題を解決するため、セットバック運転により室内の空気を調和する空気調和機であって、利用者が室内に在室しているか否かを検知する検知部と、少なくともセットバック時間を含むパラメータに基づいて、セットバック値を決定する決定部と、セットバック値に基づいてセットバック運転を行う制御部と、を有する空気調和機とした。
【発明の効果】
【０００９】
本発明によれば、空気調和機において、省エネルギー化を図りつつ、システム全体を簡易にして設備コストの増加を抑えることができる。
【図面の簡単な説明】
【００１０】
【図１】実施の形態にかかる空気調和機の全体構成を説明するブロック図である。
【図２】空気調和機のメイン処理のフローチャートである。
【図３】運転の種類設定処理のフローチャートである。
【図４】セットバック運転実施判断処理のフローチャートである。
【図５】セットバック値決定処理のフローチャートである。
【図６】セットバック値決定処理のフローチャートである。
【図７】セットバック値決定処理のフローチャートである。
【図８】セットバック運転の一例を説明する模式図である。
【図９】セットバック時間の設定方法を説明する図である。
【図１０】日当たり具合の設定方法を説明する図である。
【図１１】客室内に設けられた窓の方角の設定方法を説明する図である。
【図１２】第２の実施の形態にかかる用途の設定方法を説明する図である。
【発明を実施するための形態】
【００１１】
以下、本発明の実施の形態にかかる空気調和機１を説明する。
以下の説明では、空気調和機１及びその制御方法を、ホテルなどの客室１００に設置された空気調和機に適用した場合を例示して説明する。
図１は、実施の形態にかかる空気調和機１の全体構成を説明するブロック図である。
【００１２】
［空気調和機］
図１に示すように、空気調和機１は、室外機１０と、室内機２０と、リモコン３０と、カードキー装置４０とを有している。
【００１３】
［室外機］
室外機１０は、冷凍サイクル制御部１１と、通信制御部１２と、データ記憶部１３と、外気温度測定部１４とを有している。
【００１４】
冷凍サイクル制御部１１は、室外機１０に設けられた冷媒（図示せず）を圧縮する圧縮機（図示せず）と、冷媒と外気とを熱交換させる熱交換機（図示せず）と、を有する冷凍サイクルの全体的な制御を行う。
【００１５】
通信制御部１２は、後述する室内機２０の室外機通信制御部２１と接続され、室内機２０に対して所定の情報を送信する。
【００１６】
データ記憶部１３は、電子情報を記憶する記憶装置（メモリ）である。実施の形態では、データ記憶部１３には、室外機１０の全体制御を実行するための制御プログラムや、後述する外気温度測定部１４により計測された外気温度の計測データなどが記憶されている。
【００１７】
外気温度測定部１４は、客室１００の外気温度を計測する装置である。この外気温度測定部１４で測定された外気温度の計測データは、データ記憶部１３に記憶されると共に、通信制御部１２を介して、室内機２０に送信される。
外気温度測定部１４は、例えば、サーミスタなどの温度を計測するセンサを用いることができる。
【００１８】
［室内機］
室内機２０は、室外機通信制御部２１と、リモコン通信制御部２２と、データ記憶部２３と、セットバック値制御部２４と、室温制御部２５と、汎用外部入力制御部２６とを有している。
【００１９】
室外機通信制御部２１は、室外機１０の通信制御部１２に接続されており、通信制御部１２を介して、外気温度測定部１４で測定された外気温度の計測データを取得する。
【００２０】
リモコン通信制御部２２は、リモコン３０と接続されており、リモコン３０との通信を制御する。また、リモコン通信制御部２２は、リモコン３０で設定された設定値（例えば、後述するセットバック時間ｔ１、日当たり具合、客室１００内に設けられた窓１１０の方角、用途）などを受信する。
【００２１】
データ記憶部２３は、電子情報を記憶する記憶装置（メモリ）である。実施の形態では、データ記憶部２３には、室内機２０のメイン処理（図２参照）などを実行するための制御プログラムや、リモコン通信制御部２２で受信したリモコン３０での設定値が記憶されている。
【００２２】
セットバック値制御部２４は、データ記憶部２３に記憶されたメイン処理（図２参照）を実行するための制御プログラムに基づいて、後述するセットバック値決定処理（ステップＳ１０５参照）などを行う。
【００２３】
室温制御部２５は、外気温度と設定温度との差分に基づく通常運転、又はセットバック値制御部２４で決定されたセットバック値Ｚに基づくセットバック運転により、客室１００内の温度制御を行う。
【００２４】
汎用外部入力制御部２６は、カードキー装置４０と接続されており、カードキーホルダ４１に対するカードキー４２の抜き差し状況を検出する。
【００２５】
［リモコン］
図９に示すように、リモコン３０は、本体３１を有しており、この本体３１には、表示モニタ３２と、操作部３３（図９の点線部）とが設けられている。
【００２６】
リモコン３０では、操作部３３の運転／停止ボタン３３１を押下すると、本体３１の表示モニタ３２に所定の操作画面が表示され、選択／決定ボタン３３２を押下することで、操作画面上に表示された選択項目を選択及び決定するようになっている。
【００２７】
実施の形態では、リモコン３０では、メニューボタン３３３を押下することで、セットバック時間設定画面（図９参照）と、日当たり具合設定画面（図１０参照）と、客室の向き設定画面（図１１参照）とが、順次切り替えられるようになっており、戻る／ガイドボタン３３４を押下することで、一つ前の設定画面に戻るようになっている。
【００２８】
なお、このリモコン３０では、節電ボタン３３５が設けられており、この節電ボタン３３５を押下することで節電モード（図示せず）に切り換えられるようになっている。
【００２９】
リモコン３０の表示モニタ３２は、単に操作画面を表示する液晶パネルであってもよく、操作画面上の表示を押すことで操作できるタッチパネルであってもよい。
【００３０】
また、リモコン３０には、時間帯決定部３５（図１参照）が設けられており、この時間帯決定部３５は、利用者（例えば、ハウスキーパ）が設定したセットバック時間に基づいて、セットバック運転を行う時間帯（朝、昼間、夕方、夜）を決定する。
【００３１】
時間帯決定部３５は、リモコン３０に内蔵されている制御部のマイコン（図示せず）が有しているタイムゾーン機能を用いることができる。これにより、時間帯決定部３５を、新たなハードウェア又はソフトウェアとして設ける必要がなくなり、システム全体の簡略化と、設備コストの低減を図ることができる。
【００３２】
［カードキー装置］
図１に戻って、カードキー装置４０は、カードキーホルダ４１と、カードキー４２とを有しており、カードキーホルダ４１は、室内機２０の汎用外部入力制御部２６に接続されている。
【００３３】
このカードキー装置４０では、カードキーホルダ４１に対するカードキー４２の差し込み又は抜き取りを検出する検出器（図示せず）が設けられている。
【００３４】
カードキー装置４０では、利用者（例えば、ハウスキーパ）が客室１００に入って、カードキー４２をカードキーホルダ４１に差し込むことで、利用者（例えば、ハウスキーパ）が在室しているという検出結果が、室内機２０の汎用外部入力制御部２６に対して送信される。一方、利用者（例えば、ハウスキーパ）が、作業を終えて客室１００から出る際に、カードキー４２をカードキーホルダ４１から抜き取ることで、利用者が不在であるという検出結果が、室内機２０の汎用外部入力制御部２６に対して送信される。
【００３５】
また、実施の形態では、利用者がハウスキーパである場合、ハウスキーパの所持するハウスキーパ用カードキー４２を、カードキーホルダ４１に差し込むことで、リモコン３０を操作する際の表示モニタ３２には、図９〜図１１の各パラメータの設定画面が表示されるようになっている。
【００３６】
［メイン処理］
次に、空気調和機１の室内機２０で行われるメイン処理を説明する。
図２は、空気調和機１の室内機２０で行われるメイン処理のフローチャートである。
【００３７】
図２に示すように、ステップＳ１０１において、室内機２０の汎用外部入力制御部２６は、運転の種類設定を行う。
このステップＳ１０１の運転の種類設定処理の詳細は、後で説明する。
【００３８】
ステップＳ１０２において、汎用外部入力制御部２６は、ステップＳ１０１で設定された運転の種類がセットバック運転か否かを判定する。汎用外部入力制御部２６は、運転の種類がセットバック運転であると判定した場合（ステップＳ１０２：Ｙｅｓ）、ステップＳ１０３に進む。
【００３９】
ステップＳ１０３において、室内機２０の図示しないＣＰＵ（Ｃｅｎｔｒａｌ  Ｐｒｏｃｅｓｓｉｎｇ  Ｕｎｉｔ）は、ステップＳ２０２での汎用入力ありと判定する前の室内機２０の動作に基づいて、セットバック運転の実施判断を行う。
このセットバック運転の実施判断処理の詳細は、後で説明する。
【００４０】
ステップＳ１０４において、室内機２０のＣＰＵ（図示せず）は、セットバック運転の実施が決定したか否かの判定を行う。具体的には、室内機２０のＣＰＵ（図示せず）は、ステップＳ１０３で、セットバック運転の実施を指示するフラグが設定されている場合には、セットバック運転の実施が決定されたと判定し（ステップＳ１０４：Ｙｅｓ）、ステップＳ１０５に進む。
【００４１】
一方、室内機２０のＣＰＵ（図示せず）は、ステップＳ１０３で、セットバック運転の未実施を指示するフラグが設定されている場合には、セットバック運転の実施が決定されていないと判定し（ステップＳ１０４：Ｎｏ）、ステップＳ１０８に進み、通常運転を行う。
【００４２】
ステップＳ１０５において、室内機２０のセットバック値制御部２４は、セットバック値Ｚの決定を行う。
このセットバック値Ｚの決定処理の詳細は、後で説明する。
【００４３】
そして、ステップＳ１０６において、室内機２０のセットバック値制御部２４は、ステップＳ１０５で決定したセットバック値Ｚを設定温度に反映させる処理を行う。
【００４４】
ステップＳ１０７において、室温制御部２５は、ステップＳ１０６で反映されたセットバック値Ｚに基づいて室温の制御を行ったのち、ステップＳ１０１に戻る。
【００４５】
ここで、ステップＳ１０２において、汎用外部入力制御部２６が、ハウスキーパにより設定された運転モードを、セットバック運転でないと判定した場合（ステップＳ１０２：Ｎｏ）、及び室内機２０のＣＰＵ（図示せず）が、セットバック運転の実施が決定されていないと判定した場合（ステップＳ１０４：Ｎｏ）、ステップＳ１０８に進み、室温制御部２５は、セットバック運転ではなく通常運転により室温の調整を行う。
【００４６】
［運転の種類設定］
次に、ステップＳ１０１の運転の種類設定処理を説明する。
図３は、運転の種類設定処理（ステップＳ１０１）のフローチャートである。
【００４７】
初めに、ステップＳ２０１において、室内機２０のリモコン通信制御部２２は、汎用入力設定が、セットバック運転か否かを判定し、セットバック運転であると判定した場合（ステップＳ２０１：Ｙｅｓ）、ステップＳ２０２に進む。
【００４８】
例えば、リモコン通信制御部２２は、リモコン３０からセットバック運転の設定指示を取得した場合、汎用入力設定はセットバック運転であると判定し、リモコン３０から運転停止など、セットバック運転指示以外の指示を取得した場合、汎用入力設定はセットバック運転でないと判定する。
【００４９】
ステップＳ２０２において、汎用外部入力制御部２６は、汎用入力があるか否かを判定し、汎用入力があると判定した場合（ステップＳ２０２：Ｙｅｓ）、ステップＳ２０３に進む。
【００５０】
例えば、汎用外部入力制御部２６は、カードキー装置４０において、カードキーホルダ４１からカードキー４２が抜き取られた状態（利用者が不在状態）の場合、汎用入力ありと判定し、ステップＳ２０３に進む。そして、ステップＳ２０３において、汎用外部入力制御部２６は、室内機２０のデータ記憶部２３にセットバック運転を行うためのセットバック運転フラグをセットして処理を終了する。
【００５１】
ここで、ステップＳ２０１において、リモコン通信制御部２２が、汎用入力設定がセットバック運転でないと判定した場合（ステップＳ２０１：Ｎｏ）、又はステップＳ２０２において、汎用外部入力制御部２６が、汎用入力がないと（カードキーホルダ４１にカードキー４２が差し込まれている状態であると）判定した場合（ステップＳ２０２：Ｎｏ）、データ記憶部２３に通常運転を行うための通常運転フラグをセットして処理を終了する。
【００５２】
［セットバック運転の実施判断処理］
次に、ステップＳ１０３のセットバック運転の実施判断処理を説明する。
図４は、セットバック運転の実施判断処理のフローチャートである。
【００５３】
ステップＳ３０１において、室内機２０のＣＰＵ（図示せず）は、ステップＳ２０２で汎用入力ありと判定される前の室内機２０の運転状態が停止状態か否かを判定し、停止状態でないと判定した場合（ステップＳ３０１：Ｎｏ）、ステップＳ３０２に進み、セットバック運転の実施を指示するフラグをセットして処理を終了する。
【００５４】
また、ステップＳ３０１において、室内機２０のＣＰＵ（図示せず）は、汎用入力ありと判定される前の室内機２０の運転状態が停止状態であると判定した場合（ステップＳ３０１：Ｙｅｓ）、ステップＳ３０３に進み、セットバック運転の未実施を指示するフラグをセットして処理を終了する。
【００５５】
［セットバック値決定処理］
次に、ステップＳ１０５のセットバック値決定処理を説明する。
図５〜図７は、セットバック値の決定処理のフローチャートである。
【００５６】
初めに、ステップＳ４０１において、セットバック値制御部２４は、空気調和機１の運転モードが「送風モード」に設定されているか否かを判定し、「送風モード」に設定されていると判定した場合（ステップＳ４０１：Ｙｅｓ）、ステップＳ４１２に進み、セットバック値Ｚに０（ゼロ）を設定して処理を終了する。
【００５７】
ステップＳ４０１において、セットバック値制御部２４は、運転モードが「送風モード」に設定されていないと判定した場合（ステップＳ４０１：Ｎｏ）、ステップＳ４０２に進む。
【００５８】
ステップＳ４０２において、セットバック値制御部２４は、利用者（例えば、ハウスキーパ）により設定されたセットバック運転の時間ｔ１が０（ゼロ）であるか否かを判定し、時間ｔ１が０（ゼロ）であると判定した場合（ステップＳ４０２：Ｙｅｓ）、ステップＳ４０３に進む。
ここで、セットバック運転の時間ｔ１が０（ゼロ）とは、セットバック運転を行わない場合と、セットバック運転の時間が短い場合（例えば、１時間未満）の両方を含む。
【００５９】
ステップＳ４０３において、セットバック値制御部２４は、運転モードが「暖房モード」であるか否かを判定し、「暖房モード」であると判定した場合（ステップＳ４０３：Ｙｅｓ）、ステップＳ４０４に進み、セットバック値Ｚに、運転モードに応じた所定の値−αを設定して処理を終了する。一方、セットバック値制御部２４は、「暖房モード」でないと判定した場合（ステップＳ４０３：Ｎｏ）、ステップＳ４０５に進み、セットバック値Ｚに、運転モードに応じた所定の値＋αを設定して処理を終了する。
【００６０】
つまり、セットバック値制御部２４は、運転モードが「暖房モード」であると判定した場合、セットバック値Ｚをプラスの値として、設定温度が若干高くなるように制御を行い、運転モードが「暖房モード」でない（例えば、「冷房モード」又は「ドライモード」）であると判定した場合、セットバック値Ｚをマイナスの値として、設定温度が若干低くなるように制御を行う。
【００６１】
このように制御を行うことで、利用者（例えば、ハウスキーパ）が設定したセットバック時間ｔ１が短い場合（例えば、１時間未満）や、不明な場合でも低コストで省エネルギー化を図ることができる。
【００６２】
ステップＳ４０２において、セットバック値制御部２４は、セットバック時間ｔ１が０（ゼロ）でないと判定した場合（ステップＳ４０２：Ｎｏ）、ステップＳ４０６に進む。
【００６３】
ステップＳ４０６において、セットバック値制御部２４は、所定時間ｔ２（例えば、１０分）を経過したか否かを判定し、所定時間ｔ２を経過したと判定した場合（ステップＳ４０６：Ｙｅｓ）、ステップＳ４０７に進んで、新たに所定時間ｔ２（例えば、１０分）をタイマ（図示せず）に設定し、所定時間ｔ２を経過していないと判定した場合（ステップＳ４０６：Ｎｏ）、処理を終了する。
これにより、セットバック値制御部２４は、所定時間ｔ２経過した後に、以下で説明するステップＳ４０８〜Ｓ４３３の処理を実行する。
【００６４】
ステップＳ４０８において、セットバック値制御部２４は、セットバック運転の経過時間ｔ３が、セットバック運転期間中において室内機２０の停止時間ｔｓよりも短いか否かを判定する。
【００６５】
ここで、空気調和機１におけるセットバック運転の一例を説明する。
図８は、セットバック運転の一例を説明する模式図であり、横軸は時間軸、縦軸はセットバック値の絶対値である。
【００６６】
空気調和機１では、セットバック時間が所定の時間（例えば、１０時間）以上に長い場合、セットバック運転中であっても、初めからセットバック運転を行うのではなく、初めの数時間（例えば、４時間）は室内機２０の運転を一時的に停止することで、より省エネルギー化を図っている。
【００６７】
実施の形態では、室内機２０は、所定の停止時間ｔｓが経過するまで運転を停止しており、停止時間ｔｓを経過した後、決定されたセットバック値に基づいてセットバック運転を開始する。セットバック運転は、最初に決定されたセットバック値（絶対値）から、時間の経過と共に、段階的にセットバック値を減少させることで、より省エネルギー化を図っている。
【００６８】
図８において、段階的に減少するセットバック値の横軸の幅を時間分解能といい、縦軸の幅を温度分解能という。
【００６９】
図５に戻って、ステップＳ４０８において、セットバック値制御部２４は、セットバック運転における経過時間ｔ３が、室内機２０の停止時間ｔｓ未満（ｔ３＜ｔｓ）であると判定した場合（ステップＳ４０８：Ｙｅｓ）、ステップＳ４０９に進んで、室内機２０の運転を停止すると共に、セットバック値Ｚを０（ゼロ）に設定して（ステップＳ４１２）、処理を終了する。
【００７０】
一方、ステップＳ４０８において、セットバック値制御部２４は、セットバック運転における経過時間ｔ３が、室内機２０の停止時間ｔｓ以上（ｔ３≧ｔｓ）であると判定した場合（ステップＳ４０８：Ｎｏ）、ステップＳ４１０に進んで、室内機２０の運転を開始する。
【００７１】
そして、ステップＳ４１１において、セットバック値制御部２４は、セットバック運転における残り時間ｔ４が０（ゼロ）であるか否かを判定し（図８参照）、残り時間ｔ４が０（ゼロ）であると判定した場合（ステップＳ４１１：Ｙｅｓ）、ステップＳ４１２に進んで、セットバック値Ｚを０（ゼロ）に設定して処理を終了する。
【００７２】
一方、ステップＳ４１１において、セットバック値制御部２４は、セットバック運転における残り時間ｔ４が０（ゼロ）でないと判定した場合（ステップＳ４１１：Ｎｏ）、ステップＳ４１３に進む（図６参照）。
【００７３】
図６に示すように、ステップＳ４１３において、セットバック値制御部２４は、セットバック基本値ｂの決定を行う。実施の形態では、図８に示すように、セットバック基本値ｂは、次の式（１）により決定できる。
セットバック基本値ｂ＝（セットバック運転残り時間ｔ４／時間分解能）×温度分解能      ・・・式（１）
これにより、残り時間ｔ４におけるセットバック値Ｚが決定できる。
【００７４】
実施の形態では、最初のセットバック決定値から所定時間（例えば、３０分（時間分解能））ごとに、所定温度（例えば、０．５℃（温度分解能））下げる場合を例示しているが、セットバック基本値は、空気調和機１の運転特性を考慮し、これに限定されるものではない。
【００７５】
図６に戻って、ステップＳ４１４において、セットバック値制御部２４は、利用者（例えば、ハウスキーパ）により日当たり設定（図１０参照）が行われたか否かを判定し、日当たり設定がないと判定した場合（ステップＳ４１４：Ｎｏ）、ステップＳ４１５に進む。
【００７６】
ステップＳ４１５において、セットバック値制御部２４は、セットバック値Ｚに加算する加算値Ｘを０（ゼロ）に設定し、ステップＳ４２８に進む。
【００７７】
一方、ステップＳ４１４において、セットバック値制御部２４は、利用者（例えば、ハウスキーパ）により日当たり設定（図１０参照）が行われたと判定した場合（ステップＳ４１４：Ｙｅｓ）、ステップＳ４１６に進む。
【００７８】
ステップＳ４１６において、セットバック値制御部２４は、利用者（例えば、ハウスキーパ）により日当たり設定が「良好」に設定されているか否かを判定する（図１０参照）。セットバック値制御部２４は、日当たり設定が「良好」に設定されていないと判定した場合（ステップＳ４１６：Ｎｏ）、ステップＳ４１７に進み、セットバック値Ｚに加算する加算値Ｘを所定の値＋βに設定して、ステップＳ４２８に進む。
【００７９】
これにより、ステップＳ４１７では、運転モードが「冷房モード」又は「ドライモード」の場合、加算値Ｘをプラス（＋β）とすることで、室内機２０の負荷を減らすことができる。また、運転モードが「暖房モード」である場合も、加算値Ｘをプラス（＋β）とすることで、日当たり設定が「良好でない」に設定されているため、日当たりが悪い分、室内機２０の運転負荷を少し上げて、利用者により快適な温度となるようにしている。
【００８０】
一方、ステップＳ４１６において、セットバック値制御部２４は、日当たり設定が「良好」に設定されている判定した場合（ステップＳ４１６：Ｙｅｓ）、ステップＳ４１８に進む。
【００８１】
ステップＳ４１８において、セットバック値制御部２４は、セットバック運転を行う時間帯を取得する。実施の形態では、時間帯の決定は、リモコン３０の時間帯決定部３５により行われる。時間帯決定部３５は、例えば、利用者（例えば、ハウスキーパ）により、セットバック運転が設定された時間が、６時〜１１時の場合には、時間帯を「朝」に決定し、１１時〜１６時の場合には、時間帯を「昼間」に決定し、１６時〜１９時の場合には、時間帯を「夕方」に決定し、１９時〜６時の場合には、時間帯を「夜」に決定する。
【００８２】
時間帯決定部３５で決定された時間帯の情報は、室内機２０のリモコン通信制御部２２を介して、セットバック値制御部２４に送られる。そして、セットバック値制御部２４では、送られた時間帯の情報を取得するようになっている。
【００８３】
時間帯決定部３５は、リモコン３０又は室内機２０のＣＰＵ（図示せず）が有するタイムゾーン機能を利用することができる。また、時間帯決定部３５は、リモコン３０のメモリに、時間と時間帯とを関連付けたテーブル（図示せず）を記憶しておき、利用者（例えば、ハウスキーパ）がセットバック時間を設定した時間に紐づけられた時間帯を決定するようにしてもよい。
【００８４】
実施の形態では、時間帯決定部３５をリモコン３０に設けた場合を例示して説明したが、前述した時間帯決定部を室内機２０に設けてもよい。この場合、時間帯決定部は、室内機２０の制御部が有するタイムゾーン機能を利用することができ、又は前述した時間と時間帯とを関連付けたテーブルを利用することができる。
【００８５】
ステップＳ４１９において、セットバック値制御部２４は、利用者（例えば、ハウスキーパ）により客室１００（部屋）の方角（客室１００に設けられた窓１１０の方角、以下同じ）が設定されたか否かを判定する（図１１参照）。セットバック値制御部２４は、客室１００の方角が設定されていないと判定した場合（ステップＳ４１９：Ｎｏ）、ステップＳ４２６に進み、セットバック値Ｚの加算値Ｘを−γに設定して、ステップＳ４２８に進む。
【００８６】
これにより、ステップＳ４２６では、運転モードが「暖房モード」である場合、加算値Ｘをマイナス（−γ）とすることで、室内機２０の負荷を減らすことができる。また、運転モードが、「冷房モード」又は「ドライモード」の場合、加算値Ｘをマイナス（−γ）とすることで、日当たり設定が「良好」に設定されているため、客室１００の方角は不明であるが、日当たりが良い分、室内機２０の運転負荷を少し上げて、利用者により快適な温度となるようにしている。
【００８７】
一方、ステップＳ４１９において、セットバック値制御部２４は、利用者により客室１００（部屋）の方角が設定されたと判定した場合（ステップＳ４１９：Ｙｅｓ）、ステップＳ４２０に進み、客室１００の方角が「東向き」であるか否かを判定する。
【００８８】
ステップＳ４２０において、セットバック値制御部２４は、客室１００の方向が「東向き」であると判定した場合（ステップＳ４２０：Ｙｅｓ）、ステップＳ４２１に進み、ステップＳ４１８で決定された現在の時間帯が「朝」であるか否かを判定する。
【００８９】
ステップＳ４２１において、セットバック値制御部２４は、現在の時間帯が「朝」でないと判定した場合（ステップＳ４２１：Ｎｏ）、ステップＳ４１７に進み、セットバック値Ｚの加算値Ｘを＋βに設定して、ステップＳ４２８に進む。
【００９０】
ステップＳ４２１において、セットバック値制御部２４は、現在の時間帯が「朝」であると判定した場合（ステップＳ４２１：Ｙｅｓ）、ステップＳ４２２に進み、セットバック値Ｚの加算値Ｘを−βに設定して、ステップＳ４２８に進む。
【００９１】
ステップＳ４２０において、セットバック値制御部２４は、客室１００の方角が「東向き」でないと判定した場合（ステップＳ４２０：Ｎｏ）、ステップＳ４２３に進み、客室１００の方角が「西向き」であるか否かを判定する。
【００９２】
ステップＳ４２３において、セットバック値制御部２４は、客室１００の方角が「西向き」であると判定した場合（ステップＳ４２３：Ｙｅｓ）、ステップＳ４２４に進み、セットバック値制御部２４は、さらに、利用者がセットバック時間ｔ１を設定した現在の時間帯が「夕方」であるか否かを判定する。
【００９３】
ステップＳ４２４において、セットバック値制御部２４は、現在の時間帯が「夕方」であると判定した場合（ステップＳ４２４：Ｙｅｓ）、ステップＳ４２２に進み、セットバック値Ｚの加算値Ｘを−βに設定して、ステップＳ４２８に進む。
【００９４】
一方、ステップＳ４２４において、セットバック値制御部２４は、現在の時間帯が「夕方」でないと判定した場合（ステップＳ４２４：Ｎｏ）、ステップＳ４１７に進み、セットバック値Ｚの加算値Ｘを＋βに設定して、ステップＳ４２８に進む。
【００９５】
ここで、ステップＳ４２３において、セットバック値制御部２４は、客室１００の方角が「西向き」でないと判定した場合（ステップＳ４２３：Ｎｏ）、ステップＳ４２５に進み、客室１００の方角が「南向き」であるか否かを判定する。
【００９６】
ステップＳ４２５において、セットバック値制御部２４は、客室１００の方角が「南向き」でないと判定した場合（ステップＳ４２５：Ｎｏ）、ステップＳ４２６に進み、セットバック値Ｚの加算値Ｘを−γに設定して、ステップＳ４２８に進む。
【００９７】
一方、ステップＳ４２５において、セットバック値制御部２４は、客室１００の方角が「南向き」であると判定した場合（ステップＳ４２５：Ｙｅｓ）、ステップＳ４２７に進み、利用者がセットバック時間を設定した現在の時間帯が「昼間」であるか否かを判定する。
【００９８】
ステップＳ４２７において、セットバック値制御部２４は、現在の時間帯が「昼間」であると判定した場合（ステップＳ４２７：Ｙｅｓ）、ステップＳ４２２に進み、セットバック値Ｚの加算値Ｘを−βに設定して、ステップＳ４２８に進む。
【００９９】
一方、ステップＳ４２７において、セットバック値制御部２４は、現在の時間帯が「昼間」でないと判定した場合（ステップＳ４２７：Ｎｏ）、ステップＳ４１７に進み、セットバック値Ｚの加算値Ｘを＋βに設定して、ステップＳ４２８に進む。
【０１００】
ここで、実施の形態では、前述したステップＳ４２６で設定されるオフセット値γの絶対値は、ステップＳ４２２で設定されるオフセット値βの絶対値よりも小さい値となっている（γ＜β）。
【０１０１】
前述したように、セットバック値制御部２４は、客室１００の方角と、現在の時間帯とに基づいて、客室１００内への日当たりが非常に良い（客室の方角が「東」で現在の時間帯が「朝」、客室の方角が「西」で現在の時間帯が「夕方」、客室の方角が「南」で現在の時間帯が「昼間」）と判定した場合には、ステップＳ４２２で加算値Ｘをーβに設定する。
【０１０２】
これにより、運転モードが「暖房モード」である場合、加算値Ｘを大きくマイナス（−β）とすることで、室内機２０の負荷を減らすことができる。また、運転モードが、「冷房モード」又は「ドライモード」の場合、加算値Ｘを大きくマイナス（−β）とすることで、日当たりが非常に良い分、室内機２０の運転負荷を上げても、利用者により快適な温度となるようにしている。
【０１０３】
また、、セットバック値制御部２４は、客室１００内への日当たりが悪い（日当たり設定が「良好でない」、客室の方角が「東」であるが現在の時間帯が「朝」でない、客室の方角が「西」であるが現在の時間帯が「夕方」でない、客室の方角が「南」であるが現在の時間帯が「昼間」でない）と判定した場合には、ステップＳ４１７で加算値Ｘを＋βに設定する。
【０１０４】
これにより、運転モードが「冷房モード」又は「ドライモード」の場合、加算値Ｘをプラス（＋β）とすることで、室内機２０の負荷を減らすことができる。また、運転モードが「暖房モード」である場合も、加算値Ｘをプラス（＋β）とすることで、日当たりがある程度良いため、室内機２０の運転負荷を少し上げて、利用者により快適な温度となるようにしている。
【０１０５】
また、、セットバック値制御部２４は、客室１００内への日当たりがある程度良い（日当たりは「良好」であるが、客室の方向が分からない、又は客室の方角が「東」、「西」、「南」の何れでもない）と判定した場合には、ステップＳ４２６で加算値Ｘを−γに設定する。
【０１０６】
これにより、運転モードが「暖房モード」である場合、加算値Ｘをマイナス（−γ）とすることで、室内機２０の負荷を減らすことができる。また、運転モードが、「冷房モード」又は「ドライモード」の場合、加算値Ｘをマイナス（−γ）とすることで、日当たり設定が「良好」に設定されているため、客室１００の方角が不明であり、又は客室の方角が「東」、「西」、「南」の何れでもないが、日当たりが良い分、室内機２０の運転負荷を少し上げて、利用者により快適な温度となるようにしている。
【０１０７】
そして、ステップＳ４２８において、セットバック値制御部２４は、室外機１０の外気温度測定部１４で測定された外気温度と、ハウスキーパにより設定された設定温度との差分が、０（ゼロ）近傍か否かを判定し、０（ゼロ）近傍（例えば、０〜５℃）であると判定した場合（ステップＳ４２８：Ｙｅｓ）、ステップＳ４２９に進み、セットバック絶対値Ｙを０（ゼロ）に設定する。外気温度と設定温度がほぼ同じ値となり、セットバック運転を行う必要がないためである。
【０１０８】
一方、ステップＳ４２８において、セットバック値制御部２４は、外気温度と設定温度との差分が、０（ゼロ）近傍（例えば、０〜５℃）でないと判定した場合（ステップＳ４２８：Ｎｏ）、ステップＳ４３０に進み、セットバック絶対値Ｙを外気温度用のオフセット値に設定して、ステップＳ４３１に進む。
【０１０９】
ステップＳ４３１において、セットバック値制御部２４は、室内機２０の運転モードが「暖房」であるか否かを判定し、「暖房」でないと判定した場合（ステップＳ４３１：Ｎｏ）、ステップＳ４３２に進み、セットバック値ＺをＺ＝セットバック基本値ｂ＋加算値Ｘ＋セットバック絶対値Ｙに設定して処理を終了する。
【０１１０】
一方、セットバック値制御部２４は、室内機２０の運転モードが「暖房」であると判定した場合（ステップＳ４３１：Ｙｅｓ）、ステップＳ４３３に進み、セットバック値ＺをＺ＝−セットバック基本値ｂ＋加算値Ｘ−セットバック絶対値Ｙに設定して処理を終了する。
【０１１１】
なお、外気温度と設定温度との差分は、差分の温度範囲により、セットバック絶対値を変えるようにしてもよい。
例えば、外気温度と設定温度との差分が、０〜５℃、６〜１０℃、１１〜１５℃の場合、それぞれ異なるセットバック絶対値が設定されるようにしてもよい。また、季節により、外気温度と設定温度との差分の範囲とセットバック絶対値を変えるようにしてもよい。
【０１１２】
なお、前述した実施の形態では、カードキー装置４０（検知部）を、室内機２０の汎用外部入力制御部２６に接続する場合を例示して説明したが、カードキー装置４０（検知部）を、リモコン３０（操作装置）の外部入力制御部（図示せず）に接続してもよい。
【０１１３】
このように構成しても、リモコン３０により、カードキー装置４０における、カードキーホルダ４１に対するカードキー４２の差し込み／抜き取りを検知することができる。そして、このカードキー４２の検出結果を、リモコン３０からリモコン通信制御部２２を介して、セットバック値制御部２４に送信することができる。
【０１１４】
また、前述した実施の形態では、セットバック時間ｔ１などのパラメータを設定する入力設定部（図９〜図１２に示すリモコン３０の表示モニタ３２の設定画面）を、リモコン３０に設けた場合を例示して説明したが、パラメータを設定する入力設定部を、室内機２０に設けててもよい。
【０１１５】
このように構成すると、セットバック値制御部２４は、室内機２０に入力されたパラメータを直接取得することができ、より迅速にセットバック運転の制御を行うことができる。
【０１１６】
また、前述した実施の形態では、セットバック値制御部２４と室温制御部２５とを、室内機２０に設けた場合を例示して説明したが、セットバック値制御部２４と室温制御部２５とをリモコン３０に設けてもよい。
【０１１７】
このように構成しても、リモコン３０側で、セットバック値Ｚの決定を行いつつ、このセットバック値Ｚに基づく室温の制御を確実に実施することができる。
特に、リモコン３０側で、セットバック時間ｔ１などの各パラメータが設定される場合には、設定されたパラメータを直接利用することができ、迅速にセットバック運転を行うことができる。
【０１１８】
以上説明した通り、実施の形態では、
（１）セットバック運転により客室１００内（室内）の空気を調和する空気調和機であって、利用者（例えば、ハウスキーパ）が、客室１００内に在室しているか否かを検知するカードキー装置４０（検知部）と、少なくともセットバック時間ｔ１を含むパラメータに基づいて、セットバック値Ｚを決定するセットバック値制御部２４（決定部）と、セットバック値Ｚに基づいてセットバック運転を行う室温制御部２５（制御部）と、を有する構成とした。
【０１１９】
このように構成すると、セットバック値制御部２４では、客室１００に設けられたカードキー装置４０によって、利用者（例えば、ハウスキーパ）が在室しているか否の判定結果と、及びセットバック時間ｔ１を少なくとも含むパラメータとに基づいて、セットバック値Ｚを決定する。
よって、空気調和機１では、セットバック時間ｔ１を含むパラメータに基づいて、セットバック運転で使用されるセットバック値を決定することができ、この決定されたセットバック値に基づくセットバック運転により省エネルギー化を図ることができる。
【０１２０】
さらに、空気調和機１では、客室１００に設けられたカードキー装置４０などの既存設備を利用することでシステム全体を簡易なものとすることができ、新たな設備を設けることによる設備コストの増加を抑制することができる。
【０１２１】
（２）また、前述したパラメータは、客室１００内への日当たり具合（日射量）、客室１００内に設けられた窓１１０の方角、利用者（例えば、ハウスキーパ）の客室１００内から不在となる時間帯（例えば、朝、昼間、夕方、夜）の少なくとも何れか一つを含み、セットバック値制御部２４は、セットバック時間ｔ１と、客室１００内への日当たり具合、客室１００内に設けられた窓１１０の方角、利用者が客室１００内から不在となる時間帯の少なくとも何れか一つとに基づいて、セットバック値Ｚを決定する構成とした。
【０１２２】
このように構成すると、セットバック値制御部２４は、セットバック時間ｔ１に加えて、客室１００内の温度変化に影響する客室１００内への日当たり具合（日射量）、客室１００内に設けられた窓１１０の方角、利用者（例えば、ハウスキーパ）の客室１００内から不在となる時間帯（例えば、朝、昼間、夕方、夜）の少なくとも何れか一つとに基づいてセットバック値を決定するので、より効率の良いセットバック運転を行うことができる。
【０１２３】
（３）利用者（例えば、ハウスキーパ）が、客室１００内から不在となる時間帯（例えば、朝、昼間、夕方、夜）を決定する時間帯決定部３５を有し、時間帯決定部３５を、空気調和機１の操作に利用されるリモコン３０（操作装置）又は空気調和機１の室内機２０の何れか一つに設けた構成とした。
【０１２４】
このように構成すると、時間帯決定部３５は、リモコン３０又は室内機２０の何れかに設けられているので、リモコン３０又は室内機２０の制御部のマイコンが持つ既存のタイムゾーン機能を利用することができ、時間帯決定部３５を新たなハードウェア又はソフトウェアとして設ける場合に比べて、システム全体が簡略化し、設備コストの増加を抑えることができる。
【０１２５】
（４）カードキー装置４０が、リモコン３０又は室内機２０の何れか一つに接続されている構成とした。
【０１２６】
このように構成すると、客室１００に設けられた既存のリモコン３０又は室内機２０の制御部は、カードキー装置４０におけるカードホルダ４１に対するカードキー４２の抜き差し状態により、利用者（例えば、ハウスキーパ）の在室または不在を判定することができる。
よって、空気調和機１の既存の室内機２０、リモコン３０、カードキー装置４０を利用して、セットバック運転の要否判断を行うことができるので、システム全体を簡易に構成でき、新たなハードウェア又はソフトウェアを設けることによる設備コストの増加を抑制することができる。
【０１２７】
（５）パラメータを入力する操作部（例えば、リモコン３０の操作部３３）を有し、操作部は、リモコン３０または室内機２０の何れか一つに設けた構成とした。
【０１２８】
このように構成すると、パラメータを入力する操作部を、空気調和機１の既存のリモコン３０又は、室内機２０に設けたので、空気調和機１のシステムが煩雑になることを防止し、新たなハードウェア又はソフトウェアを設けることによる設備コストの増加を抑制することができる。
【０１２９】
（６）外気温度を測定する外気温度測定部１４を有し、セットバック値制御部２４は、外気温度測定部１４で測定された外気温度と、客室１００内の設定温度とに基づいて、セットバック値を補正する構成とした。
【０１３０】
このように構成すると、セットバック値制御部２４は、外気温度測定部１４で測定された外気温度と、客室１００内の設定温度とを比較して（ステップＳ４２８）、セットバック値を補正（ステップＳ４３０）するので、セットバック値をより精度よく決定することができる。
【０１３１】
（７）外気温度測定部１４を、空気調和機１の室外機１０に設けた構成とした。
【０１３２】
このように構成すると、空気調和機１の外気温度を、既存の室外機１０に設けられた外気温度測定部１４により測定できるので、外気温度を確実に測定できると共に、外気温度を測定するためのハードウェア又はソフトウェアを新たに設ける必要がなく、設備コストを抑えることができる。
【０１３３】
（８）セットバック値制御部２４と室温制御部２５とを、リモコン３０または室内機２０の何れか一つに設けた構成とした。
【０１３４】
このように構成すると、セットバック値制御部２４と室温制御部２５とを、空気調和機１の既存のリモコン３０又は室内機２０に設けたので、新たなハードウェア又はソフトウェアを設ける必要がなく、システム全体が簡略化し、設備コストの増加を抑えることができる。
【０１３５】
（９）また、セットバック運転により客室１００内の空気を調和する空気調和機１の制御方法であって、セットバック運転を行うか否かを判定するステップＳ１０２〜Ｓ１０４の工程（セットバック運転決定工程）と、少なくともセットバック時間を含むパラメータに基づいて、セットバック値Ｚを決定するステップＳ１０５のセットバック値決定工程（決定工程）と、セットバック値Ｚに基づいてセットバック運転を行うステップＳ１０６の工程（制御工程）と、を有する構成とした。
【０１３６】
このように構成すると、セットバック運転の制御に使用されるセットバック値Ｚを、設定されたセットバック時間ｔ１を少なくとも含むパラメータに基づいて決定できるようにした。
よって、セットバック運転により省エネルギー化を図りつつ、システム全体を簡易なものとすることができ、新たなハードウェア又はソフトウェアを設けることによる設備コストの増加を抑制することができる。
【０１３７】
（１０）パラメータは、客室１００内への日当たり具合（日射量）、客室１００内に設けられた窓１１０の方角、利用者（例えば、ハウスキーパ）の客室１００内から不在となる時間帯の少なくとも何れか一つを含み、セットバック値決定工程（ステップＳ１０５）は、セットバック時間と、客室１００内への日当たり具合、客室１００内に設けられた窓１１０の方角、利用者が客室１００に不在となる時間帯の少なくとも何れか一つとに基づいて、セットバック値を決定する構成とした。
【０１３８】
このように構成すると、セットバック時間ｔ１に加えて、客室１００内への日当たり具合（日射量）、客室１００内に設けられた窓１１０の方角、利用者（例えば、ハウスキーパ）の客室１００内から不在となる時間帯の少なくとも何れか一つに基づいてセットバック値Ｚが決定されるので、より効率の良いセットバック運転を行うことができる。
【０１３９】
＜第２の実施形態＞
次に、本発明にかかる第２の実施の形態を説明する。
前述した実施の形態では、客室１００を清掃などするハウスキーパが、リモコン３０を操作して各種パラメータを設定し、そのパラメータに基づいてセットバック運転が行われる場合を例示して説明したが、パラメータを設定する利用者は、ハウスキーパに限定されるものではない。例えば、客室１００に宿泊する利用客（図示せず）が、パラメータを設定してもよい。
【０１４０】
図１２は、第２の実施の形態にかかるリモコン３０を説明する図であり、表示モニタ３２に表示された画面の一例を示している。
なお、第２の実施の形態にかかる空気調和機１は、リモコン３０の表示モニタ３２に表示される項目が一部異なるのみで、その他の装置構成及び制御方法は、前述した空気調和機と同様である。よって、前述した空気調和機１と同じ装置構成及び制御方法については、同一の番号を付し、必要に応じて説明する。
【０１４１】
まず、利用者が客室１００に宿泊する利用客（図示せず）である場合、利用客は、ホテルにチェックイン後に渡される利用客用のカードキー４２を所持しており、この利用客用のカードキー４２をカードキーホルダ４１に差し込む。
【０１４２】
それにより、室内機２０では、利用客が在室していると判定し、利用客が設定した設定温度での通常運転が実施される。
【０１４３】
一方、利用客が客室１００から不在となる場合、リモコン３０の表示モニタ３２には、利用客がパラメータを設定するための利用客用の設定画面が表示される（図１２参照）。
【０１４４】
表示モニタ３２では、利用客は、客室１００の日当たり具合や、客室１００の方角などは分からないため、「用途選択」画面のみが表示されるようになっている。
【０１４５】
表示モニタ３２に表示された「用途選択」画面では、利用客の不在目的が「外出時」であるのか「外出時以外（左記以外）」であるのかを選択できるようになっている。利用客が「外出時」を選択して、カードキーホルダ４１からカードキー４２を取り出すと、室内機２０では、利用客が不在であると判定する。そして、利用客が設定したセットバック時間ｔ１に基づいて、セットバック運転が開始される（図２参照）。
【０１４６】
一方、利用客が「外出時以外（右記以外）」を選択した場合、室内機２０では、利用客が在室していると判定して、通常運転が行われる。
【０１４７】
前述した第２の実施の形態の場合、利用客は客室１００の日当たり具合、客室１００内に設けられた窓１１０の方角などが分からないことがあり、それらの項目の設定（図１０及び図１１参照）を行わないようにしている。これにより、利用者は分からない設定項目の入力を回避でき、所定の設定に基づくセットバック運転を実施することができる。
【０１４８】
なお、本発明は、前述した実施の形態に限定されるものではなく、様々な実施の形態が含まれるものとし、前述した第１の実施の形態にかかる空気調和機と、第２の実施の形態にかかる空気調和機とを組み合わせてもよく、他の実施の形態と組み合わせてもよい。
【０１４９】
また、本発明は、前述した実施の形態の全ての構成を備えているものに限定されるものではなく、前述した実施の形態の構成の一部を、他の実施の形態の構成に置き換えてもよく、また、前述した実施の形態の構成を、他の実施の形態の構成に置き換えてもよい。
【０１５０】
また、前述した実施の形態の一部の構成について、他の実施の形態の構成に追加、削除、置換をしてもよい。
【０１５１】
また、上記した実施の形態の構成、機能、処理、手段は、それの一部又は全部を、例えば、集積回路で設計する等により、ハードウェアで実現してもよい。また、前述した構成、機能は、プロセッサがそれぞれの機能を実現するプログラムの実行により実現できるものであってもよい。
このプログラム等の情報は、メモリなどの記憶装置に記憶しておくことができる。
【０１５２】
また、前述した実施の形態で説明した、通信線や信号線は、必要と認められるものを示しており、製品上必ずしも全ての通信線や信号線を表しているものではなく、実際には、殆どすべての構成が相互に接続されていてもよい。
【符号の説明】
【０１５３】
１：空気調和機、１０：室外機、１１：冷凍サイクル制御部、１２：通信制御部、１３：データ記憶部、１４：外気温度測定部、２０：室内機、２１：室外機通信制御部、２２：リモコン通信制御部、２３：データ記憶部、２４：セットバック値制御部、２５：室温制御部、２６：汎用外部入力制御部、３０：リモコン、３１：本体、３２：表示モニタ、３３：操作部、３３１：運転／停止ボタン、３３２：選択／決定ボタン、３３３：メニューボタン、３３４：戻る／ガイドボタン、３３５：節電ボタン、３５：時間帯決定部、４０：カードキー装置、４１：カードキーホルダ、４２：カードキー、１００：客室、１１０：窓
【図１】
2019015454.tif 000003
【図２】
2019015454.tif 000004
【図３】
2019015454.tif 000005
【図４】
2019015454.tif 000006
【図５】
2019015454.tif 000007
【図６】
2019015454.tif 000008
【図７】
2019015454.tif 000009
【図８】
2019015454.tif 000010
【図９】
2019015454.tif 000011
【図１０】
2019015454.tif 000012
【図１１】
2019015454.tif 000013
【図１２】
2019015454.tif 000014